【事件の表示】
　特願２０１７−５６０６９４「チャネル状態情報取得方法および装置」拒絶査定不服審判事件〔平成２８年１１月２４日国際公開、ＷＯ２０１６／１８４２７８、平成３０年　７月２６日国内公表、特表２０１８−５２０５７１〕について、次のとおり審決する。
【結　論】
　本件審判の請求は、成り立たない。
【理　由】
第１　手続の経緯
　本願は、２０１６年（平成２８年）４月１３日（パリ条約による優先権主張外国庁受理　２０１５年５月２１日　中国）を国際出願日とする出願であって、その手続の経緯の概略は以下のとおりである。
平成２９年１２月　７日　　：手続補正書の提出
平成３０年１０月１５日付け：拒絶理由通知書
平成３１年　１月１７日　　：意見書、手続補正書の提出
平成３１年　３月　６日付け：拒絶査定
令和　元年　７月１１日　　：拒絶査定不服審判の請求、手続補正書の提出
令和　元年１０月３１日　　：上申書の提出
第２　令和元年７月１１日にされた手続補正についての補正の却下の決定
［補正の却下の決定の結論］
　令和元年７月１１日にされた手続補正（以下、「本件補正」という。）を却下する。
［理由］
１　本件補正の概要
　本件補正は、平成３１年１月１７日にされた手続補正により補正された特許請求の範囲の請求項１に記載された
「非周期的チャネル状態情報ＣＳＩフィードバック用のＣＳＩフィードバック配置群をネットワーク機器から端末に指示することと、
　前記ＣＳＩフィードバック配置群のうちの最適なＣＳＩフィードバック配置に基づく非周期的ＣＳＩフィードバックを前記端末に指示するための下り制御情報ＤＣＩを前記ネットワーク機器から前記端末に送信することと、
　前記ネットワーク機器は、前記端末がＣＳＩフィードバック配置群における最適なＣＳＩフィードバック配置とＣＳＩフィードバック配置群における最適なＣＳＩフィードバック配置の位置情報に基づいてＣＳＩ測定したＣＳＩを受信することと
を含むことを特徴とするチャネル状態情報取得方法。」との発明（以下、「本願発明」という。）を、
「非周期的チャネル状態情報ＣＳＩフィードバック用のＣＳＩフィードバック配置群をネットワーク機器から端末に指示することと、
　前記ＣＳＩフィードバック配置群のうちの最適なＣＳＩフィードバック配置に基づく非周期的ＣＳＩフィードバックを前記端末に指示するための下り制御情報ＤＣＩを前記ネットワーク機器から前記端末に送信することと、
　前記ネットワーク機器は、前記端末がＣＳＩフィードバック配置群における最適なＣＳＩフィードバック配置とＣＳＩフィードバック配置群における最適なＣＳＩフィードバック配置の位置情報に基づいてＣＳＩ測定したＣＳＩを受信することと
を含
み、
　最適なＣＳＩフィードバック配置が、ＲＳＲＰ測定値、ＣＱＩ推定値、または、伝送ブロックサイズ（ＴＢｓｉｚｅ）により確定される
との発明（以下、「補正後の発明」という。）に補正することを含むものである。
２　補正の適否
（１）新規事項の有無、シフト補正の有無、補正の目的要件
　本件補正は、本件補正前の請求項１記載の「最適なＣＳＩフィードバック配置」について、「最適なＣＳＩフィードバック配置が、ＲＳＲＰ測定値、ＣＱＩ推定値、または、伝送ブロックサイズ（ＴＢｓｉｚｅ）により確定される」との限定を付し、特許請求の範囲を減縮するものである。したがって、本件補正は特許法第１７条の２第５項第２号に掲げる事項を目的とするものであり、また同第３項、同第４項の規定に違反するところはない。
（２）独立特許要件
　本件補正は、特許請求の範囲の減縮を目的とするものであるから、補正後の発明が特許出願の際独立して特許を受けることができるものであるか否かについて、以下検討する。
ア　補正後の発明
　補正後の発明は、上記「１　本件補正の概要」の「補正後の発明」のとおりのものと認める。また、補正後の発明の記載は、次のとおり構成要件に分説することができる（以下、各構成要件を「補正後の発明の構成要件Ａ」などという）。
「Ａ　非周期的チャネル状態情報ＣＳＩフィードバック用のＣＳＩフィードバック配置群をネットワーク機器から端末に指示することと、
　Ｂ　前記ＣＳＩフィードバック配置群のうちの最適なＣＳＩフィードバック配置に基づく非周期的ＣＳＩフィードバックを前記端末に指示するための下り制御情報ＤＣＩを前記ネットワーク機器から前記端末に送信することと、
　Ｃ　前記ネットワーク機器は、前記端末がＣＳＩフィードバック配置群における最適なＣＳＩフィードバック配置とＣＳＩフィードバック配置群における最適なＣＳＩフィードバック配置の位置情報に基づいてＣＳＩ測定したＣＳＩを受信することと
を含み、
　Ｄ　最適なＣＳＩフィードバック配置が、ＲＳＲＰ測定値、ＣＱＩ推定値、または、伝送ブロックサイズ（ＴＢｓｉｚｅ）により確定されることを特徴とする
Ｅ　チャネル状態情報取得方法。」
イ　引用発明
　原査定の拒絶の理由に引用された国際公開第２０１４／１０９５５７号（以下、「引用例」という。）には、図面とともに以下の事項が記載されている。（下線は、強調のために当審が付与した。）
「[93] FIGURE 12 illustrates narrow-beam CSI-RS transmissions in accordance with an exemplary embodiment of the present disclosure.  Embodiments of the present disclosure provide methods for CQI and PMI transmissions for narrow-beam CSI-RS.  For example, embodiments of the present disclosure provide to use narrow beam pattern for CSI-RS transmissions. As illustrated, each of the CSI-RS for antenna ports from 0 to P-1 has a narrow beam pattern and is steered towards a certain direction. All the P ports together form a wide beam pattern that covers a desired area based on practical needs. 
[94] With the narrow-beam CSI-RS transmissions, a UE receives a strong signal from some CSI-RS antenna ports while receiving a weak signal from some other antenna ports, because the CSI-RS is directional (i.e., has a narrow beam width). For example, if the ports had a wide-beam pattern, the UE 2 would receive a much stronger signal power from CSI-RS port 0 than the reflected signal received from CSI-RS port 0 in the narrow-beam pattern illustrated in FIGURE 12. In general, with narrow CSI-RS beam width, a UE may find only a few dominant components in h0, …, hP-1; this is different from the case where CSI-RS ports are configured with wide beam width so that h0, …, hP-1 have similar power level in average.  A subset of CSI-RS antenna ports dominates when the propagation environment does not have rich scatters, as in the example illustrated in FIGURE 13.  
[95] FIGURE 13 illustrates signal power received on CSI-RS ports of narrow beam width in accordance with an illustrative embodiment of the present disclosure.  As illustrated, each of the grids defined by H-PMI and V-PMI corresponds to a CSI-RS port of narrow beam width.  The lighter (e.g., white) blocks correspond to strong signal power while the darker (e.g., black) blocks correspond to weak signal power.  As a result, a UE may only identify a few dominant CSI-RS antenna ports.  The dominant CSI-RS ports seen by a UE may vary across time. However, the variation is relatively slow, since the variation mainly depends on the UE mobility and the CSI-RS beam pattern used by eNB.
[96] 
In the present disclosure, a UE can be configured to select 〜p
（当審注：「〜p」はpの上に〜、以下同じ）
out of P CSI-RS ports and feedback the corresponding port indices.
As used herein, the number of selected ports is referred to as selected port number (SPN) and the indices of selected ports are referred to as selected port indices (SPI).
[97] 
With the CSI-RS transmission, the UE feedback report may need to include an indication of SPN, SPI, RI, PMI and CQI
[98] For example, assume that the UE is configured with 8 CSI-RS ports, and the feedback report specifies that SPN=2, SPI= {16, 19}, RI=1, PMI=2 and CQI=10. The eNB interprets the feedback report as follows: if PDSCH is transmitted with applying precoder 2, i.e., 
  in the 2-Tx codebook, on the CSI-RS ports{16, 19}, applying zero power in the other CSI-RS APs {15, 17, 18, 20, 21, 22} and MCS selected according to CQI index 10, then the UE is expected to achieve 10% block error probability for the PDSCH reception.  Similarly, if the eNB can apply the equivalent precoder 
  on the CSI-RS ports {15, 22} in the PDSCH transmission, the UE is expected to achieve 10% block error probability for the PDSCH reception.
（中略）
[111] FIGURE 17 illustrates another example of determination of SPN/SPI in accordance with another exemplary embodiment of the present disclosure.  In this exemplary embodiment, 
the UE calculates CQI and PMI conditioned on each of all possible combinations of ports selection and then select the CQI/PMI/SPN/SPI associated with the best CQI. One example of this approach is illustrated in FIGURE 17.
（中略）
[113] For higher-layer (e.g., RRC) configuration by eNB, the eNB configures SPN for the UE.  Based on this configuration (e.g.,constraint), the UE may apply any one of the embodiments discussed above with regard to FIGURES 14-18 to derive SPI/CQI/PMI/RI.  
SPN is signaled by eNB via RRC signaling or is set by a value in the CSI request field in a DCI format triggering an aperiodic CSI report.
[114] Table 5
[115] In this example, if the CSI request field is set to be ‘01’, then the UE may apply any one of the embodiments discussed above with regard to FIGURES 14-18 to determine SPN/SPI.  If the CSI request field is set to be‘10’, the UE uses the first value of configured SPN, e.g., SPN=1 to determine SPI/CQI/PMI/RI. If the CSI request field is set to be ‘11’, the UE uses the second value of configured SPN, e.g., SPN=2.」
（”Disclosure of Invention”の[93]ないし[98]、[111]、[113]ないし[115]）
「
」
（［当審仮訳］：
[93]　図１２は、本開示の望ましい実施形態による狭いビームＣＳＩ−ＲＳ送信を示している。本開示の実施形態は、狭いビームＣＳＩ−ＲＳに対するＣＱＩ及びＰＭＩ送信のための方法を提供する。例えば、本開示の実施形態は、ＣＳＩ−ＲＳ送信に対する狭いビームパターンを使用することを提供する。図示されているように、０乃至Ｐ−１のアンテナポートに対する上記ＣＳＩ−ＲＳの各々は、狭いビームパターンを有し、特定方向に向けてステア（steer）される。上記Ｐ個のポートの全ては、実用上の必要性に基づいて所望の領域をカバーする広いビームパターンを共に形成する。
[94]　上記狭いビームＣＳＩ−ＲＳ送信を使用する場合、ＵＥは、上記ＣＳＩ−ＲＳが指向性であるために（すなわち、狭いビーム幅を有するために）、一部他のアンテナポートからの弱い信号を受信する間に、一部ＣＳＩ−ＲＳアンテナポートからは、強い信号を受信する。例えば、上記ポートが広いビームパターンを有している場合、ＵＥ２は、図１２に示されている上記狭いビームパターンでＣＳＩ−ＲＳポート０から受信される上記反射された信号に比べてＣＳＩ−ＲＳポート０からより強い信号電力を受信することができる。一般的に、狭いＣＳＩ−ＲＳビーム幅を使用する場合、ＵＥは、ｈ０，…，ｈＰ−１でいくつかのドミナント（dominant）コンポーネントのみを検出することができ、これは、ＣＳＩ−ＲＳポートが広いビーム幅で構成されてｈ０，…，ｈＰ−１が平均的に類似の電力レベルを有する場合とは異なる。図１３に示されている例でのように、上記伝播環境が多くのスキャター（scatter）を有していない場合、ＣＳＩ−ＲＳアンテナポートのサブ集合が支配的である。
[95]　図１３は、本開示の例示的な実施形態による狭いビーム幅のＣＳＩ−ＲＳポートで受信される信号電力を示している。図示されているように、Ｈ−ＰＭＩ及びＶ−ＰＭＩにより定義されるグリッド（grid）の各々は、狭いビーム幅のＣＳＩ−ＲＳポートに対応する。より明るい（例えば、白色）ブロックは、強い信号電力に対応し、これに対して、より暗い（例えば、黒色）ブロックは、弱い信号電力に対応する。結果的に、ＵＥは、いくつのドミナントＣＳＩ−ＲＳアンテナポートのみを識別することができる。ＵＥによってみられる上記ドミナントＣＳＩ−ＲＳポートは、時間にかけて変更され得る。しかしながら、上記変更は、上記変更が主にＵＥ移動及びｅＮＢにより使用される上記ＣＳＩ−ＲＳビームパターンを基にするために比較的遅い。
[96]　
本開示で、ＵＥは、Ｐ個のＣＳＩ−ＲＳポートのうち〜ｐを選択し、上記対応するポートインデックスをフィードバックするように構成されることができる。
選択されるポートの個数は、選択されるポート個数（selected port number：ＳＰＮ）と称され、選択されるポートのインデックスは、選択されるポートインデックス（selected port indices：ＳＰＩ）と称される。
[97] 
上記ＣＳＩ−ＲＳ送信を使用する場合、上記ＵＥフィードバック報告は、ＳＰＮ、ＳＰＩ、ＲＩ、ＰＭＩ及びＣＱＩの表示を含むことを必要とすることができ、
[98]　例えば、上記ＵＥが８個のＣＳＩ−ＲＳポートで構成され、上記フィードバック報告がＳＰＮ＝２、ＳＰＩ＝｛１６，１９｝、ＲＩ＝１、ＰＭＩ＝２及びＣＱＩ＝１０を明示していると仮定する。上記ｅＮＢは、上記フィードバック報告を次のように解釈する：ＰＤＳＣＨが上記ＣＳＩ−ＲＳポート｛１６，１９｝でプリコーダ２、すなわち上記２−Ｔｘコードブックでの
を適用し、そして他のＣＳＩ−ＲＳＡＰ｛１５，１７，１８，２０，２１，２２｝及びＣＱＩインデックス１０によって選択されたＭＣＳでゼロ電力を適用して送信される場合、上記ＵＥは、上記ＰＤＳＣＨ受信に対して１０％ブロックエラー確率を達成すると期待される。同様に、上記ｅＮＢが上記ＰＤＳＣＨ送信で上記ＣＳＩ−ＲＳポート｛１５，２２｝で上記等価プリコーダ
を適用する場合、上記ＵＥは、上記ＰＤＳＣＨ受信に対して１０％ブロックエラー確率を達成すると期待される。
（中略）
[111]　図１７は、本開示の別の望ましい実施形態によるＳＰＮ／ＳＰＩの決定の別の例を示している。この望ましい実施形態で、
上記ＵＥは、ポート選択の全ての可能な組合せの各々に条件化されたＣＱＩ及びＰＭＩを計算し、最も良好なＣＱＩと関連するＣＱＩ／ＰＭＩ／ＳＰＮ／ＳＰＩを選択する。このような接近方式の一例が図１７に示されている。
（中略）
[113]　ｅＮＢによる上位階層（例えば、ＲＲＣ）構成に対して、上記ｅＮＢは、上記ＵＥに対してＳＰＮを構成する。このような構成（例えば、制約）に基づいて、上記ＵＥは、図１４乃至図１８を参照して上述したような実施形態のうちいずれでも適用してＳＰＩ／ＣＱＩ／ＰＭＩ／ＲＩを導出することができる。
ＳＰＮは、ＲＲＣシグナリングを通してｅＮＢによりシグナルされるか又は非周期的ＣＳＩ報告をトリガーするＤＣＩフォーマットに含まれているＣＳＩ要求フィールドに含まれる値により設定される。
[114]　表５（略）
[115]　この例で、上記ＣＳＩ要求フィールドが‘０１’に設定されている場合、上記ＵＥは、図１４乃至図１８を参照して上述したような実施形態のうちいずれでも適用してＳＰＮ／ＳＰＩを決定することができる。上記ＣＳＩ要求フィールドが‘１０’に設定されている場合、上記ＵＥは、上記構成されたＳＰＮの第１の値、一例でＳＰＮ＝１を使用してＳＰＩ／ＣＱＩ／ＰＭＩ／ＲＩを決定する。上記ＣＳＩ要求フィールドが‘１１’に設定されている場合、上記ＵＥは、上記構成されたＳＰＮの第２の値、一例でＳＰＮ＝２を使用する。）
　上記の記載、並びに当業者の技術常識を考慮すると、次のことがいえる。
（ア）引用例の[113]には、「ＳＰＮは、ＲＲＣシグナリングを通してｅＮＢによりシグナルされるか又は非周期的ＣＳＩ報告をトリガーするＤＣＩフォーマットに含まれているＣＳＩ要求フィールドに含まれる値により設定される。」と記載されている。ここで、「ＤＣＩフォーマット」とは、ｅＮＢからＵＥに対して送信されるＤＣＩ（ダウンリンク制御情報）のフォーマットであるとの技術常識と、「ＳＰＮ」について引用例の[96]の「選択されるポートの個数は、選択されるポート個数（selected port number：ＳＰＮ）と称され、」との記載を考慮すると、当該記載は、ｅＮＢからＵＥに対して非周期的ＣＳＩ報告をトリガーするＤＣＩフォーマットからなるＤＣＩを送信し、ＵＥはＤＣＩフォーマットのＣＳＩ要求フィールドに含まれる値により、選択されるポートの個数であるＳＰＮを設定するといえる。
　また、引用例の[96]には、「本開示で、ＵＥは、Ｐ個のＣＳＩ−ＲＳポートのうち〜ｐを選択し、上記対応するポートインデックスをフィードバックするように構成されることができる。」と記載されている。
　更に、引用例の[111]には、「上記ＵＥは、ポート選択の全ての可能な組合せの各々に条件化されたＣＱＩ及びＰＭＩを計算し、最も良好なＣＱＩと関連するＣＱＩ／ＰＭＩ／ＳＰＮ／ＳＰＩを選択する。」と記載されている。ここにおいて、当該記載の「ポート選択の全ての可能な組合せの各々に条件化されたＣＱＩ」とは、ポート選択の全ての組み合わせの各々に対応してＣＱＩの計算をするための条件をそれぞれ設定し、設定したそれぞれの条件に基づき計算したＣＱＩであることは明らかである。また、引用例の[96]に「選択されるポートのインデックスは、選択されるポートインデックス（selected port indices：ＳＰＩ）と称される。」と記載されていることを考慮すれば、当該記載は、ＵＥは、ポート選択の全ての組み合わせの各々に対応してＣＱＩの計算をするための条件をそれぞれ設定し、設定したそれぞれの条件に基づき計算したＣＱＩのうちで最も良好なＣＱＩ及び関連する選択されるポートインデックスであるＳＰＩを選択するものといえる。
　以上のことから、引用例には、「ｅＮＢからＵＥに対して非周期的ＣＳＩ報告をトリガーするＤＣＩフォーマットからなるＤＣＩを送信し、ＵＥはＤＣＩフォーマットのＣＳＩ要求フィールドに含まれる値により、選択されるポートの個数であるＳＰＮを設定し、Ｐ個のＣＳＩ−ＲＳポートのうち〜ｐを選択し、ポート選択の全ての組み合わせの各々に対応してＣＱＩの計算をするための条件をそれぞれ設定し、設定したそれぞれの条件に基づき計算したＣＱＩのうちで最も良好なＣＱＩ及び関連する選択されるポートインデックスであるＳＰＩを選択する」ことが記載されていると認める。
（イ）引用例の[97]には、「上記ＣＳＩ−ＲＳ送信を使用する場合、上記ＵＥフィードバック報告は、ＳＰＮ、ＳＰＩ、ＲＩ、ＰＭＩ及びＣＱＩの表示を含むことを必要とすることができ、」と記載されており、ＵＥフィードバック報告はＣＱＩ及びＳＰＩを含むことは明らかである。
　また、「ＵＥフィードバック報告」について、引用例の[98]に「例えば、上記ＵＥが８個のＣＳＩ−ＲＳポートで構成され、上記フィードバック報告がＳＰＮ＝２、ＳＰＩ＝｛１６，１９｝、ＲＩ＝１、ＰＭＩ＝２及びＣＱＩ＝１０を明示していると仮定する。上記ｅＮＢは、上記フィードバック報告を次のように解釈する」と記載されており、ここで「上記フィードバック報告」とはＵＥフィードバック報告のことであり、ｅＮＢは上記フィードバック報告を解釈することから、ｅＮＢはＵＥからフィードバック報告を取得して解釈するといえる。
　したがって、引用例には、「ｅＮＢはＵＥからＵＥフィードバック報告を取得し、ＵＥフィードバック報告はＣＱＩ及びＳＰＩを含む」ことが記載されていると認める。
（ウ）ＣＱＩとはチャネルの受信品質を示す識別子のことであってチャネル状態情報（ＣＳＩ）に含まれることは技術常識である。このことを考慮すると、上記（イ）で示したｅＮＢがＵＥから取得したＣＱＩを含むＵＥフィードバック報告は、チャネル状態情報を含むフィードバック報告といえる。そうすると、引用例はｅＮＢがＵＥからチャネル状態情報を取得する方法に関するものということができる。
　以上のことから、引用例にはｅＮＢがＵＥからチャネル状態情報を取得する方法が記載されていると認められる。
　したがって、引用例には以下の発明（以下、「引用発明」という。）が記載されていると認め、構成要件に分説することができる（以下、各構成要件を「引用発明の構成要件Ａ」などという）。
「Ａ　ｅＮＢからＵＥに対して非周期的ＣＳＩ報告をトリガーするＤＣＩフォーマットからなるＤＣＩを送信し、ＵＥはＤＣＩフォーマットのＣＳＩ要求フィールドに含まれる値により、選択されるポートの個数であるＳＰＮを設定し、Ｐ個のＣＳＩ−ＲＳポートのうち〜ｐを選択し、ポート選択の全ての組み合わせの各々に対応してＣＱＩの計算をするための条件をそれぞれ設定し、設定したそれぞれの条件に基づき計算したＣＱＩのうちで最も良好なＣＱＩ及び関連する選択されるポートインデックスであるＳＰＩを選択し、
Ｂ　ｅＮＢはＵＥからＵＥフィードバック報告を取得し、ＵＥフィードバック報告はＣＱＩ及びＳＰＩを含む、
Ｃ　ｅＮＢがＵＥからチャネル状態情報を取得する方法。」
ウ　技術常識
　本願の優先日以前に利用可能であった標準技術規格である３ＧＰＰ技術仕様の３ＧＰＰ　ＴＳ　３６．３３１　Ｖ１２．５．０，２０１５年　３月２７日（アップロード），インターネット＜ＵＲＬ：ｈｔｔｐｓ：／／ｗｗｗ．３ｇｐｐ．ｏｒｇ／ｆｔｐ／Ｓｐｅｃｓ／ａｒｃｈｉｖｅ／３６＿ｓｅｒｉｅｓ／３６．３３１／３６３３１−ｃ５０．ｚｉｐ＞には，以下の事項が記載されている。
「5.3.5       RRCconnection reconfiguration
5.3.5.1            General
Figure 5.3.5.1-1: RRC connection reconfiguration, successful
（中略）
5.3.5.3            Reception of an RRCConnectionReconfiguration not including the mobilityControlInfo by the UE
If the RRCConnectionReconfiguration message does not include the mobilityControlInfo and the UE is able to comply with the configuration included in this message, the UE shall:
1  if this is the first RRCConnectionReconfiguration message after successful completion of the RRC Connection Re-establishment procedure:
（中略）
　
2  if the RRCConnectionReconfiguration message includes the radioResourceConfigDedicated:
　　
3  perform the radio resource configuration procedure as specified in 5.3.10
（［当審仮訳］：
５．３．５　ＲＲＣ接続再設定
５．３．５．１　一般
（図について省略）
５．３．５．３　ＵＥによってmobilityControlInfoを含まないRRCConnectionReconfigurationを受信
　もしRRCConnectionReconfigurationメッセージがmobilityControlInfoを含まず、ＵＥがこのメッセージに含まれる設定に従うことができる場合、ＵＥは：
１＞もしこれがＲＲＣ接続再設定手順の成功完了後の最初のRRCCConnectionReconfigurationメッセージであった場合：
（中略）
　　
２＞もしRRCConnectionReconfigurationメッセージがradioResourceConfigDedicatedを含む場合　
　　　　
３＞５．３．１０節で特定されている無線リソース設定手順を実行する
「5.3.10    Radioresource configuration
5.3.10.0          General
The UE shall:
（中略）
1  if the received radioResourceConfigDedicated includes the physicalConfigDedicated:
　
2  reconfigure the physical channel configuration as specified in 5.3.10.6.
（［当審仮訳］：
５．３．１０　無線リソース設定
５．３．１０．０　一般
　ＵＥは：
（中略）
１＞受信したradioResourceConfigDedicatedがphysicalConfigDedicatedを含む場合：
　　
２＞５．３．１０．６で特定されているように物理チャネル設定を再設定する
「5.3.10.6     Physical channel reconfiguration
The UE shall:
1  if the antennaInfo-r10 is included in the received physicalConfigDedicatedand the previous version of this field that was received by the UE was antennaInfo (without suffix i.e. the version defined in REL-8):
　2  apply the default antenna configuration as specified in section 9.2.4;
1  if the cqi-ReportConfig-r10 is included in the received physicalConfigDedicated and the previous version of this field that was received by the UE was cqi-ReportConfig (without suffix i.e.the version defined in REL-8):
　
2  apply the default CQI reporting configuration as specified in 9.2.4;
（［当審仮訳］：
５．３．１０．６　物理チャネル再設定
　ＵＥは：
１＞もし受信したphysicalConfigDedicatedにantennaInfo-r10が含まれ、ＵＥによって受信されたこのフィールドの前のバージョンがantennaInfo（サフィックス無し、つまりＲＥＬ−８で定義されるバージョン）だった場合：
　　２＞９．２．４節で特定されるデフォルトアンテナ設定を適用する；
１＞もし受信したphysicalConfigDedicatedにcqi-ReportConfig-r10が含まれ、ＵＥによって受信されたこのフィールドの前のバージョンがcqi-ReportConfig（サフィックス無し、つまりＲＥＬ−８で定義されるバージョン）だった場合：
　　
２＞９．２．４節で特定されるＣＱＩレポーティング設定を適用する；）
「−   CQI-ReportConfig
The IE CQI-ReportConfig is used to specify the CQIreporting configuration.」（２３７ページ１６行−１８行）
（［当審仮訳］：
−CQI-ReportingConfig
　IE CQI-ReportConfigはＣＱＩレポーティング設定を特定するのに用いられる。）
「
CQI-ReportConfig information elements
（中略）
（中略）
」（２３７ページ１９行−２３８ページ２２行）
「CQI-ReportConfig field descriptions
（中略）
・aperiodicCSI-Trigger
Indicates for which serving cell(s) the aperiodic CSI report is triggered when one or more SCells are configured. trigger1 corresponds to the CSI request field 10 and trigger2 corresponds to the CSI request field 11
（［当審仮訳］：
CQI-ReportConfigフィールド説明
・aperiodicCSI-Trigger
　
一つまたはそれ以上のＳＣｅｌｌが設定されたときに、どのサービングセルのために非周期的ＣＳＩ報告がトリガーされるかを示す。トリガー１はＣＳＩフィールド１０に対応し、トリガー２はＣＳＩフィールド１１に対応する。
　上記の記載、並びに当業者の技術常識を考慮すると、次のことがいえる。
（ア）上記「５．３．５．１　一般」の節の図から、EUTRANがUEに対してRRCConnectionReconfigurationメッセージを送信しているといえる。
また、上記「５．３．５．３」の節に「１＞もしこれがＲＲＣ接続再設定手順の成功完了後の最初のRRCCConnectionReconfigurationメッセージであった場合：」「２＞もしRRCConnectionReconfigurationメッセージがradioResourceConfigDedicatedを含む場合」「３＞５．３．１０節で特定されている無線リソース設定手順を実行する」と記載されており、当該記載からRRCConnectionReconfigurationメッセージはradioResourceConfigDedicatedを含むといえる。
　更に、上記「５．３．１０．０　一般」の節に「１＞受信したradioResourceConfigDedicatedがphysicalConfigDedicatedを含む場合：」「２＞５．３．１０．６で特定されているように物理チャネル設定を再設定する」と記載されており、当該記載からradioResourceConfigDedicatedはphysicalConfigDedicatedを含むといえる。
　そして、上記「５．３．１０．６」の節に「１＞もし受信したphysicalConfigDedicatedにcqi-ReportConfig-r10が含まれ、ＵＥによって受信されたこのフィールドの前のバージョンがcqi-ReportConfig（サフィックス無し、つまりＲＥＬ−８で定義されるバージョン）だった場合：」「２＞９．２．４節で特定されるＣＱＩレポーティング設定を適用する；」と記載されており、当該記載からphysicalConfigDedicatedにcqi-ReportConfig-r10が含まれる場合、ＣＱＩレポーティング設定を適用するといえる。
　以上のことを総合すると、EUTRANがUEに対してRRCConnectionReconfigurationメッセージを送信し、RRCConnectionReconfigurationメッセージはradioResourceConfigDedicatedを含み、radioResourceConfigDedicatedはphysicalConfigDedicatedを含み、physicalConfigDedicatedにcqi-ReportConfig-r10が含まれる場合、ＣＱＩレポーティング設定を適用するといえる。そしてこのことは、EUTRANがUEに対してＣＱＩレポーティング設定を適用するためのcqi-ReportConfig-r10を含むRRCConnectionReconfigurationメッセージを送信するということができる。
（イ）上記「CQI-ReportConfiginformation elements」に記載されている定義式から、CQI-ReportConfig-r10がCQI-ReportAperiodic-r10を含み、CQI-ReportAperiodic-r10がaperiodicCSI-Trigger-r10を含むことは明らかである。
　また、上記「CQI-ReportConfigフィールド説明」には、「aperiodicCSI-Trigger」について、「一つまたはそれ以上のＳＣｅｌｌが設定されたときに、どのサービングセルのために非周期的ＣＳＩ報告がトリガーされるかを示す。トリガー１はＣＳＩフィールド１０に対応し、トリガー２はＣＳＩフィールド１１に対応する。」と記載されている。以上のことから、aperiodicCSI-Triggerは非周期的ＣＳＩ報告のトリガーを設定するものといえる。また、aperiodicCSI-TriggerはaperiodicCSI-Trigger-r10であることは明らかである。
　以上を総合すると、CQI-ReportConfig-r10はCQI-ReportAperiodic-r10を含み、CQI-ReportAperiodic-r10がaperiodicCSI-Trigger-r10を含み、aperiodicCSI-Triggerはサービングセルに対応して非周期的ＣＳＩ報告のトリガーを設定するものといえる。そしてこのことは、CQI-ReportConfig-r10が、サービングセルに対応して非周期的ＣＳＩ報告のトリガーを設定するaperiodicCSI-Triggerを含むものといえる。
（ウ）上記（ア）に示したようにEUTRANがUEに対してＣＱＩレポーティング設定を適用するためのcqi-ReportConfig-r10を含むRRCConnectionReconfigurationメッセージを送信するといえ、更に上記（イ）に示したようにCQI-ReportConfig-r10が、サービングセルに対応して非周期的ＣＳＩ報告のトリガーを設定するaperiodicCSI-Triggerを含むものといえる。そして、EUTRANのうちeNBがＲＲＣに関するメッセージを送受信することは３ＧＰＰ技術仕様において技術常識であることを考慮すると、eNBがUEに対し、非周期的ＣＳＩ報告のトリガーを設定するRRCConnectionReconfigurationメッセージを送信するといえる。
　したがって、上記（ウ）に示した「eNBがUEに対し、非周期的ＣＳＩ報告のトリガーを設定するRRCConnectionReconfigurationメッセージを送信する。」ことは、標準技術規格である３ＧＰＰ技術仕様に示されていることから技術常識である。
エ　対比
　補正後の発明と引用発明とを対比すると、
（ア）引用発明の「ｅＮＢ」は補正後の発明の「ネットワーク機器」に含まれ、引用発明の「ＵＥ」は補正後の発明の「端末」に含まれる。また、補正後の発明の構成要件Ｅと引用発明の構成要件Ｃとは、チャネル状態情報を取得する方法との点で共通する。
（イ）補正後の発明の構成要件Ｂにある「ＣＳＩフィードバック配置群」とは、当業者に一般的に用いられている用語ではなく、技術的意義が一義的に明確に理解することができないことから、発明の詳細な説明を参酌すると、発明の詳細な説明の【００４３】段落に「１つのＣＳＩフィードバック配置群に１つまたは複数のＣＳＩフィードバック配置を含み、」との記載があることから、１つまたは複数のＣＳＩフィードバック配置であると解する。一方、引用発明の構成要件Ａにある「Ｐ個のＣＳＩ−ＲＳポートのうち〜ｐを選択し、ポート選択の全ての組み合わせの各々に対応してＣＱＩの計算をするための条件をそれぞれ設定」することについて、当該設定はＣＳＩ−ＲＳポート選択ごとのＣＱＩを計算するためのものであり、また、チャネル状態情報としてフィードバックするためのものであることは明らかである。したがって、当該設定は１つまたは複数のＣＳＩ−ＲＳポート選択ごとのチャネル状態情報のフィードバック設定であるといえるから、引用発明の構成要件Ａにある「Ｐ個のＣＳＩ−ＲＳポートのうち〜ｐを選択し、ポート選択の全ての組み合わせの各々に対応してＣＱＩの計算をするための条件をそれぞれ設定」することは、補正後の発明の構成要件Ｂの「ＣＳＩフィードバック配置群」に対応する。
　更に、引用発明の構成要件Ａにある「設定したそれぞれの条件に基づき計算したＣＱＩのうちで最も良好なＣＱＩ」を選択することは、前段落で述べたことを考慮すると、１つまたは複数のＣＳＩ−ＲＳポート選択のチャネル状態情報のフィードバック設定のうち、最も良好なチャネル状態情報のフィードバック設定に基づくものであることは明らかである。したがって、引用発明の構成要件Ａの「設定したそれぞれの条件に基づき計算したＣＱＩのうちで最も良好なＣＱＩ」の選択は、補正後の発明の構成要件Ｂの「前記ＣＳＩフィードバック配置群のうちの最適なＣＳＩフィードバック配置」に基づくフィードバックに対応する。
　そして、引用発明の構成要件Ａにある「ｅＮＢからＵＥに対して非周期的ＣＳＩ報告をトリガーするＤＣＩフォーマットからなるＤＣＩを送信し、ＵＥはＤＣＩフォーマットのＣＳＩ要求フィールドに含まれる値により、選択されるポートの個数であるＳＰＮを設定し、」との事項において、「ＳＰＮを設定」するのは、前段落で説明した引用発明の構成要件Ａにある「設定したそれぞれの条件に基づき計算したＣＱＩのうちで最も良好なＣＱＩ」を選択し、チャネル状態情報としてフィードバックするためであることは当業者にとって明らかである。このことを考慮すると、引用発明の当該事項は、ｅＮＢからＵＥに対して、設定したそれぞれの条件に基づき計算したＣＱＩのうちで最も良好なＣＱＩを選択し非周期的ＣＳＩ報告として送信してもらうことを要求するために、ＤＣＩを送信しているということができるから、補正後の発明の構成要件Ｂの「最適なＣＳＩフィードバック配置に基づく非周期的ＣＳＩフィードバックを前記端末に指示するための下り制御情報ＤＣＩを前記ネットワーク機器から前記端末に送信すること」に対応する。
　以上を総合すると、補正後の発明の構成要件Ｂと引用発明の構成要件Ａとは、「前記ＣＳＩフィードバック配置群のうちの最適なＣＳＩフィードバック配置に基づく非周期的ＣＳＩフィードバックを前記端末に指示するための下り制御情報ＤＣＩを前記ネットワーク機器から前記端末に送信すること」との点で一致する。
（ウ）補正後の発明の構成要件Ｃについて、「ＣＳＩフィードバック配置群における最適なＣＳＩフィードバック配置とＣＳＩフィードバック配置群における最適なＣＳＩフィードバック配置の位置情報に基づいてＣＳＩ測定したＣＳＩを受信すること」とは、ＣＳＩフィードバック配置群における最適なＣＳＩフィードバック配置と
、
と
、
　また、引用発明の構成要件Ｂの「ｅＮＢはＵＥからＵＥフィードバック報告を取得し、ＵＥフィードバック報告はＣＱＩ及びＳＰＩを含む」において、「ＣＱＩ」は上記（イ）で述べたように、１つまたは複数のＣＳＩ−ＲＳポート選択のチャネル状態情報のフィードバック設定のうち、最も良好なチャネル状態情報のフィードバック設定に基づくＣＱＩであることは明らかであり、補正後の発明の構成要件Ｃの「ＣＳＩフィードバック配置群における最適なＣＳＩフィードバック配置」「に基づいて、ＣＳＩ測定したＣＳＩ」に相当する。
　更に、「ＳＰＩ」は、当該ＣＱＩに関連する選択されるポートインデックスであるＳＰＩであることは明白であり、補正後の発明の構成要件Ｃの「ＣＳＩフィードバック配置群における最適なＣＳＩフィードバック配置の位置情報」に相当する。
　そして引用発明の構成要件Ｂは、ｅＮＢが１つまたは複数のＣＳＩ−ＲＳポート選択のチャネル状態情報のフィードバック設定のうち、最も良好なチャネル状態情報のフィードバック設定に基づくＣＱＩと、関連する選択されるポートインデックスであるＳＰＩとをＵＥフィードバック報告として取得するといえるから、補正後の発明の構成要件Ｃと引用発明の構成要件Ｂとは「前記ネットワーク機器は、前記端末がＣＳＩフィードバック配置群における最適なＣＳＩフィードバック配置とＣＳＩフィードバック配置群における最適なＣＳＩフィードバック配置の位置情報に基づいてＣＳＩ測定したＣＳＩを受信する」との点で一致する。
（エ）補正後の発明の構成要件Ｄの「最適なＣＳＩフィードバック配置が、ＲＳＲＰ測定値、ＣＱＩ推定値、または、伝送ブロックサイズ（ＴＢｓｉｚｅ）により確定される」とは、最適なＣＳＩフィードバック配置が、ＣＱＩ推定値により確定されることを含む。
　一方、上記（イ）で述べたように引用発明の構成要件Ａの「設定したそれぞれの条件に基づき計算したＣＱＩのうちで最も良好なＣＱＩ」を選択することは、補正後の発明の構成要件Ｂの「前記ＣＳＩフィードバック配置群のうちの最適なＣＳＩフィードバック配置」に基づくフィードバックに対応し、また引用発明の構成要件Ａの「最も良好なＣＱＩ」は、ＣＱＩを推定した値であることは当業者にとって当然のことである。
　したがって、補正後の発明の構成要件Ｄと引用発明の構成要件Ａとは、「最適なＣＳＩフィードバック配置が、ＲＳＲＰ測定値、ＣＱＩ推定値、または、伝送ブロックサイズ（ＴＢｓｉｚｅ）により確定されることを特徴とする」点で共通する。
　以上を総合すると、補正後の発明と引用発明とは、以下の点で一致し、また相違する。
（一致点）
「前記ＣＳＩフィードバック配置群のうちの最適なＣＳＩフィードバック配置に基づく非周期的ＣＳＩフィードバックを前記端末に指示するための下り制御情報ＤＣＩを前記ネットワーク機器から前記端末に送信することと、
　前記ネットワーク機器は、前記端末がＣＳＩフィードバック配置群における最適なＣＳＩフィードバック配置とＣＳＩフィードバック配置群における最適なＣＳＩフィードバック配置の位置情報に基づいてＣＳＩ測定したＣＳＩを受信することと
を含み、
　最適なＣＳＩフィードバック配置が、ＲＳＲＰ測定値、ＣＱＩ推定値、または、伝送ブロックサイズ（ＴＢｓｉｚｅ）により確定されることを特徴とするチャネル状態情報取得方法。」
（相違点）
　補正後の発明は、その構成要件Ａにあるように「非周期的チャネル状態情報ＣＳＩフィードバック用のＣＳＩフィードバック配置群をネットワーク機器から端末に指示する」のに対し、引用発明は、その構成要件Ａ及び構成要件Ｂにあるように「ｅＮＢからＵＥに対して非周期的ＣＳＩ報告をトリガーするＤＣＩフォーマットからなるＤＣＩを送信し、ＵＥはＤＣＩフォーマットのＣＳＩ要求フィールドに含まれる値により、選択されるポートの個数であるＳＰＮを設定し、Ｐ個のＣＳＩ−ＲＳポートのうち〜ｐを選択し、ポート選択の全ての組み合わせの各々に対応してＣＱＩの計算をするための条件をそれぞれ設定し、設定したそれぞれの条件に基づき計算したＣＱＩのうちで最も良好なＣＱＩ及び関連する選択されるポートインデックスであるＳＰＩを選択し、ｅＮＢはＵＥからＵＥフィードバック報告を取得し、ＵＥフィードバック報告はＣＱＩ及びＳＰＩを含む、」とのことから、ｅＮＢからＵＥに対して非周期的ＣＳＩ報告をトリガーするＤＣＩフォーマットからなるＤＣＩを送信し、ＵＥはポート選択の全ての組み合わせの各々に対応してＣＱＩの計算をするための条件をそれぞれ設定し、設定したそれぞれの条件に基づきＣＱＩを計算して非周期的ＣＳＩ報告を行うといえるが、ＵＥがポート選択の全ての組み合わせの各々に対応してＣＱＩの計算をするための条件をそれぞれ設定することについて、補正後の発明の「非周期的チャネル状態情報ＣＳＩフィードバック用のＣＳＩフィードバック配置群をネットワーク機器から端末に指示する」とあるように「ネットワーク機器から端末に指示する」ことが特定されていない点。
オ　判断
　以下相違点について検討する。
「ウ　技術常識」に示したように、「eNBがUEに対し、非周期的ＣＳＩ報告のトリガーを設定するRRCConnectionReconfigurationメッセージを送信する。」ことは技術常識である。
　したがって引用発明の非周期的ＣＳＩ報告の設定方法として、技術常識である「eNBがUEに対し、非周期的ＣＳＩ報告のトリガーを設定するRRCConnectionReconfigurationメッセージを送信する。」構成を採用することにより、ｅＮＢがＵＥに対して非周期的ＣＳＩ報告のトリガーを設定するRRCConnectionReconfigurationメッセージを送信し、ＵＥがポート選択の全ての組み合わせの各々に対応してＣＱＩの計算をするための条件をそれぞれ設定する構成とし、補正後の発明の「非周期的チャネル状態情報ＣＳＩフィードバック用のＣＳＩフィードバック配置群をネットワーク機器から端末に指示する」となすことは当業者が容易に想到し得るものである。
　また、補正後の発明の作用効果も、引用発明に基づき当業者が予測しうる程度のものである。
　したがって、補正後の発明は引用発明に基づいて当業者が容易に発明をすることができたものであるから、特許法第２９条第２項の規定により、特許を受けることができない。
　また、請求人は令和元年１０月３１日に提出された上申書において、以下のように主張している。（当審注：主張中の「引用文献１」は引用例に対応する。）
「（ａ）本願独立請求項１に係る発明は、請求項１に記載されている下記構成Ａを備えています。
　本願独立請求項８、１５、１６にも下記構成Ａと同様な構成或いは対応する構成が記載されています。
　・構成Ａ：「非周期的チャネル状態情報ＣＳＩフィードバック用のＣＳＩフィードバック配置群をネットワーク機器から端末に指示することと、　前記ＣＳＩフィードバック配置群のうちの最適なＣＳＩフィードバック配置に基づく非2周期的ＣＳＩフィードバックを前記端末に指示するための下り制御情報ＤＣＩを前記ネットワーク機器から前記端末に送信することと、　前記ネットワーク機器は、前記端末がＣＳＩフィードバック配置群における最適なＣＳＩフィードバック配置とＣＳＩフィードバック配置群における最適なＣＳＩフィードバック配置の位置情報に基づいてＣＳＩ測定したＣＳＩを受信することとを含み、
　最適なＣＳＩフィードバック配置が、ＲＳＲＰ測定値、ＣＱＩ推定値、または、伝送ブロックサイズ（ＴＢｓｉｚｅ）により確定される」
（ｂ）引用文献１において、選択されるのが最大電力のポートであります。　これに対して、本願請求項１に係る発明は、最大電力のリソースを選択します。このリソースに複数のポートが含まれます。　
　さらに、引用文献１において、二つの組のＣＳＩ−ＲＳを送信する必要があります。選択された第１のＣＳＩ−ＲＳの測定結果により、第２のＣＳＩ−ＲＳに作用してＣＱＩを算出します。
　これに対して、本願請求項１に係る発明は、一組のＣＳＩ−ＲＳだけで済み、そのうちのひとつのＣＳＩ−ＲＳを選択して、ＣＱＩを算出すればよいことになります。
　このように、本願請求項１に係る発明ではＣＱＩの算出精度が向上されます。この点について、本願請求項１に係る発明は、引用文献１に記載されている発明と全く異なります。
　よって、当業者は、引用文献１と技術常識との組み合わせによっても、簡単に本願請求項１に係る発明の前記構成Ａを得ることができないものと思料します。
　上記により、本願請求項１に係る発明は進歩性を有するものと思料します。
　そして、独立請求項１に係る発明と同様な理由で独立請求項８、１５、１６に係る発明も進歩性を有するものと思料します。
　請求項２−７、９−１４は、それぞれ独立請求項１、８の従属請求項であります。独立請求項１、８に係る発明が進歩性を有していますので、請求項２−７、９−１４に係る発明も進歩性を有するものと思料します。」
　しかしながら、請求人の「これに対して、本願請求項１に係る発明は、一組のＣＳＩ−ＲＳだけで済み、そのうちのひとつのＣＳＩ−ＲＳを選択して、ＣＱＩを算出すればよいことになります。」との主張は請求項１の構成に基づくものではないので採用できない。
　
　したがって、請求人の主張は採用できない。
３　結語
　したがって、本件補正は、補正後の発明が特許出願の際独立して特許を受けることができないものであるから、特許法第１７条の２第６項において準用する同法１２６条第７項の規定に違反するので、同法第１５９条第１項において読み替えて準用する同法第５３条第１項の規定により却下すべきものである。
　よって、結論のとおり決定する。
第３　本願発明について
１　本願発明
　令和元年７月１１日にされた手続補正は上記のとおり却下されたので、本願の請求項１に係る発明は、上記「第２　令和元年７月１１日にされた手続補正についての補正の却下の決定」の項の「１　本件補正の概要」の項の「本願発明」のとおりのものと認める。
２　原査定の拒絶の理由
　原査定の拒絶理由の概要は、「１．（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。」というものであり、請求項１に対して引用例（国際公開第２０１４／１０９５５７号）が引用されている。
３　引用発明及び技術常識
　引用発明及び技術常識は、上記「第２　令和元年７月１１日にされた手続補正についての補正の却下の決定」の項中の「２　補正の適否」の項中の「（２）独立特許要件」の項中の「イ　引用発明」及び「ウ　技術常識」の項で認定したとおりである。
４　対比・判断
　本願発明は、補正後の発明から、「最適なＣＳＩフィードバック配置が、ＲＳＲＰ測定値、ＣＱＩ推定値、または、伝送ブロックサイズ（ＴＢｓｉｚｅ）により確定される」との限定を省いたものである。
　そして、本願発明の構成要件をすべて含み、更に他の構成要件を付加したものに相当する補正後の発明が、上記「第２　令和元年７月１１日にされた手続補正についての補正の却下の決定」で判断したとおり引用発明に基づいて容易に発明ができたものであるから、本願発明も同様の理由により、引用発明に基づいて当業者が容易に発明をすることができたものである。
５　むすび
　以上のとおり、本願発明は当業者が引用発明に基づいて容易に発明をすることができたものであるから、特許法第２９条第２項の規定により特許を受けることができない。
　したがって、他の請求項に係る発明について検討するまでもなく、本願は拒絶されるべきものである。
　よって、結論のとおり審決する。